(57)【要約】【課題】様々な用途に適応した操作性や機能を具備させることのできる無線リモコン送信装置及び送信機収納装置を提供する。【解決手段】リモコン送信機１０は、開閉体装置の動作を制御するための開ボタン１１、停止ボタン１２、閉ボタン１３の操作指令情報を無線方式で開閉体装置に送信する。リモコン収納手段２０は、このリモコン送信機１０を覆うように収納し、開ボタン１１、停止ボタン１２、閉ボタン１３に対応した操作ボタン（開ボタン２１、停止ボタン２２、閉ボタン２３）を備え、この操作ボタンを操作することによってリモコン送信機１０の開ボタン１１、停止ボタン１２、閉ボタン１３を間接的に操作できるように構成されている。また、リモコン収納手段２０は、音声発音用のスピーカ２４や長時間稼働用のバッテリーを収納するバッテリー収納部を備えている。【選択図】      図２
2004343510.tif 000002
【特許請求の範囲】
【請求項１】
開閉体装置の動作を制御するための制御ボタンの操作指令情報を無線方式で前記開閉体装置に送信するリモコン送信手段と、
前記リモコン送信手段を覆うように収納し、前記制御ボタンに対応した操作ボタンを備え、前記操作ボタンを操作することによって前記制御ボタンを間接的に操作でき、前記リモコン送信手段にない別の機能を付加するように構成されたリモコン収納手段とを備えたことを特徴とする無線リモコン送信装置。
【請求項２】
請求項１において、前記リモコン収納手段は、前記操作ボタンの操作に対応して動作する新たな機能を前記リモコン送信手段に追加する追加機能手段を備えたことを特徴とする無線リモコン送信装置。
【請求項３】
開閉体装置の動作を制御するための制御ボタンの操作指令情報を無線方式で前記開閉体装置に送信するリモコン送信機を覆うように収納し、前記制御ボタンに対応した操作ボタンを備え、前記操作ボタンを操作することによって前記制御ボタンを間接的に操作できるように構成されたことを特徴とする送信機収納装置。
【請求項４】
請求項３において、前記操作ボタンの操作に対応して動作する新たな機能を前記リモコン送信手段に追加する追加機能手段を備えたことを特徴とする送信機収納装置。
【発明の詳細な説明】
【０００１】
【発明の属する技術分野】
本発明は、ビル、工場、倉庫などの建物を含む構造物躯体の開口部に設置されるシャッターカーテンなどの開閉体を電動で開閉したり、スリット形成又は解除したり、解錠又は施錠したりするなどの開閉体装置の所定の動作を無線方式で制御する無線リモコン送信装置及び送信機収納装置に関する。
【０００２】
【従来の技術】
ビル、工場、倉庫などの建物を含む構造物躯体の開口部に設置されシャッターやドアなどの開閉体装置には、その開閉動作を電動で行う電動シャッターや電動ドアが使用されることが多い。このように電動で開閉動作を行うものは、その動作を遠隔操作によって制御するための無線方式のリモコン送信装置を備えるものがある。無線リモコン送信装置には、携帯型、壁スイッチ型、防水型などのようにその用途に応じたものが種々用意されている。従って、使用者はその使用用途に応じた送信装置を準備して使用している。例えば、２種類のリモコン送信装置が必要な場合には、それぞれ仕様の異なる送信装置を２種類購入する必要があり、使用者に経済的な負担がかかり、また使用時に混乱を招くおそれがあった。また、例えば、防水型でない携帯用のリモコン送信装置を防水の必要な環境で使用した場合、すなわち使用用途と異なる使い方をした場合に、リモコン送信装置に不要なストレスがかかり、最悪の場合、リモコン送信装置を破損させてしまうという虞れもあった。特許文献１には、このような無線リモコン送信装置を通常は持ち運び可能な携帯型として使用できるようにしておき、開閉体装置近傍の送信機収納ホルダーに収納した時には壁スイッチ型として使用できるようにしたものが記載されている。
【特許文献１】
特開２０００−３２４５７５号公報
【０００３】
【発明が解決しようとする課題】
特許文献１に記載されたものは、無線リモコン送信装置を送信機収納ホルダーに収納することによって、壁スイッチ型として使用できるようにしたものに過ぎない。すなわち、無線リモコン送信装置自体はホルダーに収納された状態でも取り出された状態でも操作性や機能に変化が加わった訳ではなく、同じものが携帯型から壁スイッチ型として単に用途を変えただけに過ぎない。従って、この無線リモコン送信装置を防水型として使用した場合、使用用途が異なるためにリモコン送信装置に不要なストレスがかかってしまうというおそれがあった。
【０００４】
本発明は、上述の点に鑑みてなされたものであり、様々な用途に適応した操作性や機能を具備させることのできる無線リモコン送信装置及び送信機収納装置を提供することを目的とする。
【０００５】
【課題を解決するための手段】
請求項１に係る無線リモコン送信装置は、開閉体装置の動作を制御するための制御ボタンの操作指令情報を無線方式で前記開閉体装置に送信するリモコン送信手段と、前記リモコン送信手段を覆うように収納し、前記制御ボタンに対応した操作ボタンを備え、前記操作ボタンを操作することによって前記制御ボタンを間接的に操作でき、前記リモコン送信手段にない別の機能を付加するように構成されたリモコン収納手段とを備えたものである。通常、リモコン送信手段は、開ボタン、停止ボタン及び閉ボタンの３点の押しボタン式の制御ボタンを備え、どのボタンが操作されているのかその操作指令情報を無線方式で開閉体装置の受信機に送信するという基本機能を備えたものや１点式の制御ボタンを備え、この制御ボタンが操作される毎に開閉体装置の操作指令情報を巡回的に出力するようなものがある。開閉体装置は、リモコン送信手段からの操作指令情報を入力し、所定の動作、例えば、開動作、閉動作、停止動作、スリット形成又は解除動作、施錠又は解錠動作などを実行する。なお、リモコン送信手段は、これらの動作のうち施錠（ロック）のみを行うものや開閉体装置用照明のオンオフ制御だけを行うものも含む。通常、リモコン送信手段は、その用途に適応したものが準備されているが、この発明では、基本機能を備えたリモコン送信手段をリモコン収納手段に収納して、別の用途の無線リモコン送信装置を構成するようにしたものである。
例えば、リモコン送信手段が防水機能を備えていない場合、防水機能を備えたリモコン収納手段を準備し、それにリモコン送信手段を収納することによって、新たに防水型のリモコン送信手段を構成することができる。また、リモコン送信手段はボタン型電池を内蔵しているがこれだけだと電池の寿命が短いので、これを補助するためのバッテリーをリモコン収納手段に設けることによって、リモコン送信手段を長時間使用可能な機能を付加することができる。このように、リモコン収納手段側にそれぞれの用途に適した機能を備えさせ、基本機能はリモコン送信手段のものを使用することによって、様々な用途に適応した操作性や機能を備えた無線リモコン送信装置を簡単かつ容易に提供することができるようになる。
【０００６】
請求項２に係る無線リモコン送信装置は、請求項１において、前記リモコン収納手段は、前記操作ボタンの操作に対応して動作する新たな機能を前記リモコン送信手段に追加する追加機能手段を備えたものである。これは、リモコン収納手段はリモコン送信手段の開ボタン、停止ボタン及び閉ボタンの制御ボタンに対応した操作ボタンを備えているので、この発明では、この操作ボタンの操作に対応して動作する新たな機能をリモコン収納手段に追加するようにしたものである。
例えば、操作ボタンの操作指令情報に対応した音声を発音するスピーカをリモコン収納手段に設けたり、操作ボタンの操作指令情報に対応して発光・点灯するＬＥＤ、操作指令情報を表示する液晶表示器、操作指令情報に応じて振動するバイブレータを設けたり、操作指令情報を発信するための外部アンテナを設けたりしても良い。
【０００７】
請求項３に係る送信機収納装置は、開閉体装置の動作を制御するための制御ボタンの操作指令情報を無線方式で前記開閉体装置に送信するリモコン送信機を覆うように収納し、前記制御ボタンに対応した操作ボタンを備え、前記操作ボタンを操作することによって前記制御ボタンを間接的に操作でき、前記リモコン送信手段にない別の機能を付加するように構成されたものである。これは、請求項１に記載されたリモコン送信手段を収納するリモコン収納手段に関するものである。
【０００８】
請求項４に係る送信機収納装置は、請求項３において、前記操作ボタンの操作に対応して動作する新たな機能を前記リモコン送信手段に追加する追加機能手段を備えたものである。これは、請求項２に記載されたリモコン送信手段を収納するリモコン収納手段に関するものである。
【０００９】
【発明の実施の形態】
以下添付図面に従って本発明に係る無線リモコン送信装置の好ましい実施の形態について説明する。この実施の形態では上下に開閉制御されるシャッター装置を制御するリモコン送信装置を例に説明する。図１は、本発明の無線リモコン送信装置の基本となるカード型無線リモコン送信装置の概略構成を示す図であり、図２は、図１のカード型無線リモコン送信装置を収納し、それに新たな機能として音声発音機能を加えた無線リモコン送信装置の概略構成を示す図である。
【００１０】
図１のカード型無線リモコン送信装置１０は、全体的に薄いカード型をしており、その表面に開ボタン１１、停止ボタン１２及び閉ボタン１３を備えている。
開ボタン１１は、上方向が半円形をしており、その下方向が円弧で削り取られたような形状をしており、その表面に上向きの黒色三角形（▲）の図形と英文字の「ＯＰＥＮ」が刻印されている。停止ボタン１２は、下向き三角形の角を円形に丸めたおむすび型をしており、その表面に黒色四角形（■）の図形と英文字の「ＳＴＯＰ」が刻印されている。閉ボタン１３は、停止ボタン１２を中心とする開ボタン１１の点対称形状をしており、その表面に下向きの黒色三角形（▼）と英文字の「ＣＬＯＳＥ」が刻印されている。開ボタン１１の上側近傍にはＬＥＤ１４が設けられている。ＬＥＤ１４は、開ボタン１１、停止ボタン１２及び閉ボタン１３の操作時に点灯し、操作指令情報を視認可能にするものである。
【００１１】
図２の無線リモコン送信装置２０は、図１のカード型無線リモコン送信装置よりも一回り大きな箱型形状をしており、その表面に開ボタン２１、停止ボタン２２及び閉ボタン２３を備えている。開ボタン２１は、角丸四角形をしており、その表面に「開」の文字を囲むような上向き矢印が刻印されている。停止ボタン２２は、開ボタン２１と同じ形状の角丸四角形をしており、その表面に「停止」の文字を囲むような四角形が刻下されている。閉ボタン２３は、開ボタン２１及び停止ボタン２２と同じ形状の角丸四角形をしており、その表面に「閉」の文字を囲むような下向き矢印が刻下されている。閉ボタン２３の下側には、音声発音用のスピーカ２４が内蔵されている。スピーカ２４は、開ボタン２１、停止ボタン２２及び閉ボタン２３の操作時にその操作指令情報に対応した音声を発音するものである。なお、この無線リモコン送信装置には、図１のようなＬＥＤは存在しないが、同様のものを設けてもよい。
【００１２】
図３は、図１のカード型無線リモコン送信装置１０と図２の無線リモコン送信装置２０との関係を示す図である。図２の無線リモコン送信装置２０は、蝶番部２５を介して、図３のように開くような構造になっている。従って、無線リモコン送信装置２０の内部には、カード型無線リモコン送信装置１０を収納可能なスペースが設けられている。従って、図１のカード型無線リモコン送信装置１０を無線リモコン送信装置２０内に収納することによって、カード型無線リモコン送信装置１０は、音声発音機能を具備する新たな無線リモコン送信装置２０を構成することができる。
【００１３】
次に、本発明の無線リモコン送信装置の別の実施の形態について説明する。図４は、図１のカード型無線リモコン送信装置を収納し、それに新たな機能として防水防塵機能及び長時間可動機能を加えた無線リモコン送信装置の概略構成を示す図である。図から明かなように、無線リモコン送信装置４０は、図１のカード型無線リモコン送信装置及び図２の無線リモコン送信装置よりも十分に大きな箱型形状をしており、その表面に開ボタン４１、停止ボタン４２及び閉ボタン４３を備えている。開ボタン４１は、円形をしており、その表面に「開」の文字を囲むような上向き矢印が刻印されている。停止ボタン４２は、開ボタン４１と同じ円形をしており、その表面に「停止」の文字を囲むような四角形が刻下されている。閉ボタン４３は、開ボタン４１及び停止ボタン４２と同じ円形をしており、その表面に「閉」の文字を囲むような下向き矢印が刻下されている。なお、停止ボタン４２は、開ボタン４１及び閉ボタン４３とは異なる色彩（例えば、赤色など）で着色されている。
【００１４】
図５は、図１のカード型無線リモコン送信装置１０と図４の無線リモコン送信装置４０との関係を示す図である。図４の無線リモコン送信装置４０は、カード型無線リモコン送信装置１０を収納する本体収納部４４と、本体収納部４４を覆うように防水用の蓋をする本体カバー４５と、電池などのバッテリーを収納するバッテリー収納部４６（点線で示す）と、このバッテリー収納部４６を覆うように防水用の蓋をする補助カバー４７と、音声発音用のスピーカなどを収納するスピーカ収納部４８（点線で示す）と、このスピーカ収納部４８を覆うように防水用の蓋をする補助カバー４９とから構成されている。本体カバー４５及び補助カバー４７，４９と、各収納部４４，４６，４８との間には、防水用のゴムパッキングが施されており、ネジなどで固定されるようになっている。なお、ネジ止め以外の方法で防水加工してもよい。図１のカード型無線リモコン送信装置１０を無線リモコン送信装置４０の本体収納部４４に収納し、バッテリー収納部４６内のバッテリーから電力が供給されるような配線を施すことによって、カード型無線リモコン送信装置１０は、長時間使用可能な無線リモコン送信装置４０として機能する。また、本体カバー４５に設けられた開ボタン４１、停止ボタン４２及び閉ボタン４３の操作に連動して、その操作指令情報に対応した音声がスピーカ収納部４８のスピーカから発音されるように配線することによって、カード型無線リモコン送信装置１０は、操作指令情報を音声で発音可能な無線リモコン送信装置４０として機能するようになる。なお、この無線リモコン送信装置には、図１のようなＬＥＤは存在しないが、同様のものを設けてもよい。
【００１５】
図４及び図５の実施の形態では、バッテリー収納部４６とスピーカ収納部４８を設ける場合について説明したが、いずれか一方だけを設けるようにしても良い。また、上述の実施の形態では、カード型無線リモコン送信装置に音声発音機能、防水機能、バッテリー機能などを付加する場合について説明したが、これ以外にも、寒冷地や冷凍庫内などで使用する場合には、カード型無線リモコン送信装置の周囲にニクロム線などを配して、カード型無線リモコン送信装置を所定の温度に保持するためのヒーター機能を設けても良い。上述の実施の形態では、開ボタン、停止ボタン及び閉ボタンのそれぞれに対応してボタンを設ける場合について説明したが、必ずしも同じボタンを設ける必要はなく、開ボタンだけ、閉ボタンだけなどのようにそのリモコン送信装置の用途によって必要となるボタンだけを設けるようにしても良い。例えば、常時閉鎖された開閉体装置を開ボタンの操作によって開状態にした後は所定時間後又はセンサでそのリモコン送信装置保持者の通過を感知してから開閉体装置を閉状態にするものなどに適用する場合がこれに該当する。図２の実施の形態では、音声発音機能を付加する場合について説明したが、さらに音声発音機能を動作させるためのバッテリー手段を別途搭載するようにしても良い。
【００１６】
【発明の効果】
以上説明したように本発明によれば、様々な用途に適応した操作性や機能を具備させることのできる無線リモコン送信装置及び送信機収納装置を提供することができるという効果がある。
【図面の簡単な説明】
【図１】本発明の無線リモコン送信装置の基本となるカード型無線リモコン送信装置の概略構成を示す図である。
【図２】図１のカード型無線リモコン送信装置を収納し、それに新たな機能として音声発音機能を加えた無線リモコン送信装置の概略構成を示す図である。
【図３】図１のカード型無線リモコン送信装置と図２の無線リモコン送信装置との関係を示す図である。
【図４】図１のカード型無線リモコン送信装置を収納し、それに新たな機能として防水防塵機能及び長時間可動機能を加えた無線リモコン送信装置の概略構成を示す図である。
【図５】図１のカード型無線リモコン送信装置と図４の無線リモコン送信装置との関係を示す図である。
【符号の説明】
１０…カード型無線リモコン送信装置
１１，２１，４１…開ボタン
１２，２２，４２…停止ボタン
１３，２３，４３…閉ボタン
１４…ＬＥＤ
２０，４０…無線リモコン送信装置
２４…スピーカ
２５…蝶番
４４…本体収納部
４５…本体カバー
４６…バッテリー収納部
４７，４９…補助カバー
４８…スピーカ収納部
【図１】
2004343510.tif 000003
【図２】
2004343510.tif 000004
【図３】
2004343510.tif 000005
【図４】
2004343510.tif 000006
【図５】
2004343510.tif 000007